(57)【要約】      （修正有）【課題】使用者の鼻の形状に従って、鼻パッドが調節可能である眼鏡フレームを提供する。【解決手段】眼鏡フレーム１０２が、１対の光学レンズ１０６ａ、１０６ｂをそれぞれ保持するように適合された１対の装着フレーム１０４ａ、１０４ｂと、各装着フレームに係合された鼻パッド１１２ａ、１１２ｂとを有し、鼻パッドの各々は、少なくとも１つの軸を中心に、前記各々の装着フレームの周りに回動可能である。【選択図】図７
2009053648.tif 000002
【特許請求の範囲】
【請求項１】
１対の光学レンズ（１０６ａ、１０６ｂ）をそれぞれ保持するように適合された１対のフレーム部（１０４ａ、１０４ｂ）と、
各フレーム部（１０４ａ、１０４ｂ）に係合された鼻パッド（１１２ａ、１１２ｂ）とを具備する眼鏡フレーム（１０２）において、
前記各鼻パッド（１１２ａ、１１２ｂ）は、少なくとも１つの軸（Ｌ−Ｌ）を中心に、前記各々のフレーム部（１０４ａ、１０４ｂ）の周りに回動可能であり、
前記軸（Ｌ−Ｌ）は、前記各フレーム部（１０４ａ、１０４ｂ）を含む１面にほぼ平行であることを特徴とする眼鏡フレーム（１０２）。
【請求項２】
前記各鼻パッド（１１２ａ、１１２ｂ）は、この鼻パッド（１１２ａ、１１２ｂ）の大きい方の表面が、前記各フレーム部（１０４ａ、１０４ｂ）を含む１面にほぼ平行となる位置に、回動可能である請求項１の眼鏡フレーム（１０２）。
【請求項３】
前記軸（Ｌ−Ｌ）は、前記各鼻パッド（１１２ａ、１１２ｂ）の長軸（Ｍ−Ｍ）にほぼ平行である請求項１の眼鏡フレーム（１０２）。
【請求項４】
前記各鼻パッド（１１２ａ、１１２ｂ）は、連結部を介して前記フレーム部（１０４ａ、１０４ｂ）に係合されている請求項１の眼鏡フレーム（１０２）。
【請求項５】
前記連結部は、前記それぞれの回動の軸（Ｌ−Ｌ）にほぼ平行であるねじ（１２４）である請求項４の眼鏡フレーム（１０２）。
【請求項６】
前記連結部は、ボール部（２６）とソケット部（３０）とを有するボール−ソケットジョイントである請求項４の眼鏡フレーム（１０２）。
【請求項７】
前記ボール部（２６）は、前記ソケット部（３０）に収容されるための膨らんだ丸い端部を備えたロッドである請求項６の眼鏡フレーム（１０２）。
【請求項８】
前記ソケット部（３０）は、前記フレーム部（１０４ａ、１０４ｂ）に係合されたブラケットであり、
このブラケットは、前記ボール部（２６）を収容するためのキャビティ（２８）を有する請求項６の眼鏡フレーム（１０２）。
【請求項９】
前記ボール部（２６）は、前記鼻パッド（１１２ａ、１１２ｂ）に係合され、また、前記ソケット部（３０）は、前記フレーム部（１０４ａ、１０４ｂ）に係合されている請求項６ないし８のいずれか１の眼鏡フレーム（１０２）。
【請求項１０】
前記各鼻パッド（１１２ａ、１１２ｂ）は、１つの共通の中心を有する複数の軸の周りに、前記各々のフレーム部（１０４ａ、１０４ｂ）に対して移動可能である請求項６ないし８のいずれか１の眼鏡フレーム（１０２）。
【請求項１１】
前記１対のフレーム部（１０４ａ、１０４ｂ）を、枢動可能に接続するためのコネクタ手段（１１０ａ）と、
少なくとも２つの枢動セクション（１１４ａ、１１６ａ）を各々が有する１対のアーム部（１０８ａ、１０８ｂ）とをさらに具備し、
前記１対の光学レンズ（１０６ａ、１０６ｂ）が互いに面し、また、前記鼻パッド（１１２ａ、１１２ｂ）が、互いに面する位置になるように、前記鼻パッド自身を回動させることによって、密接に折り畳んだ形態にすることが可能である請求項１の眼鏡フレーム（１０２）。
【請求項１２】
記載された、また、図面を参照した眼鏡フレーム（１０２）。
【発明の詳細な説明】
【技術分野】
【０００１】
この発明は、眼鏡フレームに関する。
【背景技術】
【０００２】
かけるための眼鏡を作成するために、レンズが装着され得る様々な構成の眼鏡フレームがある。
【０００３】
使用者が、自身の鼻の上に眼鏡を置いて眼鏡をかけるとき、快適なかけ心地にするために、鼻パッド（従って眼鏡）の位置を調整する必要がある。多くの場合、鼻パッドの位置の微調整のみが行われる。ある場合には、鼻パッドと接続しているリンクを強制的に曲げる必要さえあり、眼鏡フレームは、この個々のニーズに対応する必要がある。上記の場合には、リンクを、従って眼鏡を、損傷もしくは破損さえしてしまう可能性がある。
【０００４】
さらに、眼鏡によって占有される空間を最小にするために、例えば、保管のために、ブリッジと２つのアームとが折り畳まれることができる眼鏡フレームが存在する。このような眼鏡フレームは、折り畳むことができるけれども、使用の際、使用者の鼻に接触する鼻パッドが、眼鏡をコンパクトに折り畳むのを妨げることがわかっている。
【発明の開示】
【発明が解決しようとする課題】
【０００５】
従って、この発明の目的は、上記の欠点を軽減させる、すなわち少なくとも同業者、また、一般の人々にとって有用な代案を与えるための眼鏡フレームおよび眼鏡を提供することである。
【０００６】
既知の眼鏡フレームの欠点を克服し、また、前記眼鏡フレームに対する鼻パッドのために、改良されたリンク部を提供することが、この発明の主たる目的である。このリンク部によって、使用者の鼻の形状に従って、鼻パッドが調節調節可能であり、さらに、密接に折り畳んだ眼鏡フレームの形態を可能にする。
【課題を解決するための手段】
【０００７】
この発明の第１の様態では、この発明は、眼鏡フレームを有する眼鏡を提供する。この眼鏡フレームは、１対の光学レンズをそれぞれ保持するように適合された１対のフレーム部と、各フレーム部に係合された鼻パッドとを有する。各鼻パッドは、少なくとも１つの軸を中心に、前記各々のフレーム部の周りに回動可能であり、前記軸は、前記各フレーム部を含む１面にほぼ平行である。
【０００８】
第２の様態では、この発明は、１対のフレーム部と、２つの光学レンズを保持するリンク部と、ボール−ソケットジョイント、すなわちねじを介してこのリンク部に係合されている２つの鼻パッドとを有する眼鏡フレームを提供する。
【０００９】
第３の様態では、この発明は、眼鏡フレームを有する眼鏡を提供する。この眼鏡フレームは、２つの枢動可能なセクションを含む１対のアーム部と、２つの枢動可能なセクションを含むブリッジと、１対の光学レンズをそれぞれ保持するように適合された１対のフレーム部と、各フレーム部に係合されている鼻パッドとを有する。この鼻パッドは、前記各フレーム部を含む１面にほぼ位置している各々の軸を中心に、前記各フレーム部の周りに回動可能である。
【００１０】
上記の形態を通して、フレーム部の１面に平行な軸の周りに回動可能な鼻パッドを供えた改良眼鏡フレームと、密接に折り畳んだ形態が実現される。
【発明を実施するための最良の形態】
【００１１】
この発明の第１の好ましい実施の形態に従った眼鏡フレームの部品を組み入れた眼鏡が、図１並びに図２に示され、また、一般的に１０で示されている。この眼鏡１０は、１対の装着フレーム１４ａ、１４ｂを備えた眼鏡フレーム１２を有し、各装着フレーム１４ａ、１４ｂに、それぞれ１つの光学レンズ１６ａ、１６ｂが取り外し可能なように装着されている。これら装着フレーム１４ａ、１４ｂの外側に、前記眼鏡フレーム１２に対して回動可能であるアーム１８ａ、１８ｂがある。前記２つの装着フレーム１４ａ、１４ｂは、ブリッジ２０によって互いに接続されている。各装着フレーム１４ａ、１４ｂの内側に、鼻パッド２２ａ、２２ｂが、以下でさらに説明される方法で係合されている。
【００１２】
図３では、前記鼻パッド２２ｂは、ボール−ソケットジョイントによって、前記装着フレーム１４ｂに係合されている。特に、前記鼻パッド２２ｂは、ほぼ立方体のブラケット３０のキャビティ（示されていない）の内部に収容された、丸いボール形状の端部２６を備えたロッド２４に、固定されるように係合されている。このブラケット３０は、ロッド３２を介して前記装着フレーム１４ｂに固定されるように係合されている。
【００１３】
図４でより明確に示されるように、一例として前記鼻パッド２２ｂを取り上げる。この鼻パッド２２ｂは、ほぼ立方体のブラケット３０中のキャビティ２８の内部に収容された、丸いボール形状の端部２６を備えたロッド２４に、固定されるように係合されている。前記ブラケット３０は、ロッド３２を介して前記装着フレーム１４ｂに固定されるように係合されている。前記ブラケット３０の内壁は、前記ボール形状の端部２６の外面に沿って、内側にわずかに変形させられている。この結果、前記ロッド２４の端部２６は、このブラケットから取り外されることはできないが、この端部２６の中心の周りに、このブラケット３０に対して、また、内部で、回動することができる。図４は、前記鼻パッド２２ｂと装着フレーム（示されていない）との間の前記ボール−ソケットジョイントのために、この鼻パッド２２ｂが、共通の中心を有する多くの軸の周りに、前記ブラケット３０（従って、前記装着フレーム（示されていない）と眼鏡フレーム（示されていない））に対して回動し移動可能であることを明確に示す。これら軸のいくつかは、互いに垂直である。このような配置により、使用の際、使用者の鼻の上で、また、鼻に対して、前記鼻パッド２２ｂの位置を簡単に調整することができる。図５は、図４の平面の垂線を通るような前記ボール−ソケットジョイントの拡大断面図である。図６は、図４の前記鼻パッドと眼鏡フレームとの間の可能な相対運動の拡大図である。
【００１４】
特に、この発明は、鼻パッドが、前記ロッド３２を介して装着フレーム（示されていない）に固定された前記ブラケット３０中のキャビティ２８の内部に収容された、丸い端部２６を備えたロッド２４に固定されるように係合された眼鏡フレームに関して説明されてきた。しかし、この発明は、前記装着フレームが、前記鼻パッドに固定されるように係合されたブラケット中のキャビティの内部に収容された、丸いボール形状の端部を備えたロッドに固定されるように係合された配置もまた含むと考えられることに注意しなければならない。同様に、前記鼻パッド２２ｂは、前記装着フレーム（示されていない）を介してではなく、前記ブリッジ（示されていない）を介してこの眼鏡フレーム（示されていない）に係合されることができる。
【００１５】
この発明の第２の好ましい実施の形態に従った眼鏡フレームの部品を組み入れた眼鏡が、図７に示され、また、一般的に１００で示されている。この眼鏡１００は、１対の装着フレーム１０４ａ、１０４ｂを備えた眼鏡フレーム１０２を有し、各装着フレーム１０４ａ、１０４ｂに、それぞれ１つの光学レンズ１０６ａ、１０６ｂが取り外し可能なように装着されている。各装着フレーム１０４ａ、１０４ｂの外側に、装着フレーム１０４ａ、１０４ｂに対して回動可能であるアーム１０８ａ、１０８ｂがある。前記２つの装着フレーム１０４ａ、１０４ｂは、ブリッジ１１０によって互いに接続されている。各装着フレーム１０４ａ、１０４ｂの内側に、鼻パッド１１２ａ、１１２ｂが係合され、この構成は以下で詳しく説明される。図８は、図７の眼鏡の後部斜視図を示す。
【００１６】
図９に示されるように、各アーム１０８ａ、１０８ｂは、ジョイント１１８ａ、１１８ｂの周りに２つの枢動可能なセクションを有する。前記アーム１０８ａ、１０８ｂの外セクション１１４ａ、１１４ｂが、点線で示された位置と実線で示された位置との間で枢動可能である。また、これら外セクション１１４ａ、１１４ｂは、前記アーム１０８ａ、１０８ｂの内セクション１１６ａ、１１６ｂにもたれることを可能にする。
【００１７】
図１０Ａにさらに示されるように、前記アーム１０８ａ、１０８ｂは、前記装着フレーム１０４ａ、１０４ｂの方へ内セクション１１６ａ、１１６ｂを枢動することによって、実線で示された形態にさらに折り畳むことができる。
【００１８】
図１０Ｂ並びに図１０Ｃでは、前記鼻パッド１１２ａが、前記装着フレーム１０４ａの内側に取り外し可能なように係合されていることがわかる。特に、前記鼻パッド１１２ａは、貫通孔１２２を備えた突起部１２０を有する。前記貫通孔１２２は、貫通していてもよいし、貫通していなくてもよい。いかなる場合でも、前記貫通孔１２２は、ねじ１２４の挿入が可能なように作られている。前記鼻パッド１１２ａの突起部１２０の貫通孔１２２は、前記ソケット１２６の２つの孔１２８、１３０に配置されるように、前記鼻パッド１１２ａの突起部１２０を挿入できる空間を備えたソケット１２６が、前記装着フレーム１０４ａに固定されて装着されている。このような配置によって、前記ねじ１２４は、前記鼻パッド１１２ａを装着フレーム１０４ａに取り外し可能なように係合させるために、前記孔１２８、１３０、また、前記貫通孔１２２によって止められることができる。この結果、前記装着フレーム１０４ａを含む平面上にある軸Ｌ−Ｌを中心に、この装着フレーム１０４ａに対して前記鼻パッド１１２ａを回動させることができる。軸Ｌ−Ｌは、前記ねじ１２４の長軸と、前記鼻パッド１１２ａの長軸Ｍ−Ｍとに平行であることがわかる。
【００１９】
特に、図１０Ｃで示されたように、この配置によって、前記鼻パッド１１２ａは、実線１１２１で示された位置と点線１１２２で示された位置との間で、前記装着フレーム１０４ａに対して回動可能である。前記鼻パッド１１２ａが、点線１１２２で示された位置にあるとき、この鼻パッドの大きい方の表面は、前記装着フレーム１０４ａを含む面にほぼ平行である。
【００２０】
この眼鏡１００は、前記ブリッジ１１０のコネクタ１１０ａに対してレッグ１１０ｂを折り畳むことによって、図１１並びに図１２に示されるようなコンパクトな形態に折り畳むことができる。特に、この眼鏡が、図１２に示されるような形態に折り畳まれた状態のとき、前記鼻パッド１１２ａ、１１２ｂは、回動することができるので、それぞれの鼻パッドの固定されていない大きい方の表面が、互いに隣接する。従って、この眼鏡１００は、図１１並びに図１２に示されるように密接に折り畳んだ形態にとることができる。
【００２１】
さらに、前記各鼻パッド１１２ａ、１１２ｂの間をそれぞれ前記装着フレーム１０４ａ、１０４ｂに連結する方法はまた、使用者があまり介入せずに、使用者の鼻の形状に従って、これら鼻パッド１１２ａ、１１２ｂの位置を簡単に自分で調整することを可能にする。
【００２２】
この発明の第３の好ましい実施の形態に従った眼鏡フレームの部品を組み入れた眼鏡が、図１３Ａに示され、また、一般的に２００で示されている。この眼鏡２００は、２つの装着フレーム２０４ａ、２０４ｂを備えた眼鏡フレーム２０２を有する。この眼鏡２００は、前記２つのアーム２０８ａ、２０８ｂ並びにこの眼鏡２００のブリッジ２１０が、この眼鏡の方へ折り畳むことができないという点で、上記で説明された眼鏡１００と異なる。
【００２３】
図１３Ｂ並びに図１３Ｃに示されるように、鼻パッド２１２ａは、眼鏡フレーム（示されていない）の装着フレーム２０４ａの内側に、取り外し可能なように係合されている。前記鼻パッド２１２ａは、貫通孔２２２を備えた突起部２２０を有する。前記貫通孔２２２は、貫通していてもよいし、貫通していなくてもよい。いかなる場合でも、前記貫通孔２２２は、ねじ２２４の挿入が可能なように作られている。前記鼻パッド２１２ａの突起部２２０の貫通孔２２２は、前記ソケット２２６の２つの孔２２８、２３０に配置されるように、前記鼻パッド２１２ａの突起部２２０を挿入できる空間を備えたソケット２２６が、前記装着フレーム２０４ａに固定されて装着されている。このような配置によって、前記ねじ２２４は、前記鼻パッド２１２ａを装着フレーム２０４ａに取り外し可能なように係合させるために、前記ソケット２２６の孔２２８、２３０、また、前記突起部２２０の貫通孔２２２によって止められることができる。この結果、前記装着フレーム２０４ａを含む平面上にある軸Ｐ−Ｐの周りに、この装着フレーム２０４ａに対して前記鼻パッド２１２ａを回動させることができる。軸Ｐ−Ｐは、前記ねじ２２４の長軸と、前記鼻パッド２１２ａの長軸Ｓ−Ｓとに平行であることがわかる。
【００２４】
図１３Ｃに示されたように、この配置によって、前記鼻パッド２１２ａは、実線２１２１で示された位置と点線２１２２で示された位置との間で、前記装着フレーム２０４ａに対して回動可能である。前記鼻パッド２１２ａが点線２１２２で示された位置にあるとき、この鼻パッドの大きい方の表面は、前記装着フレーム２０４ａを含む面にほぼ平行である。
【００２５】
図１４Ａは、前記装着フレーム（示されていない）が、前記ブラケット３０中のキャビティ２８の内部に収容された、丸いボール形状の端部を備えたロッド３２と固定されるように係合されている配置の実施の形態を示す。前記ブラケット３０は、ロッド２４によって前記鼻パッド２２ｂに固定されるように係合されている。このような配置により、使用の際、使用者の鼻の形状に適合するように、前記鼻パッド２２ｂの位置を簡単に、また、可撓に調整することができる。
【００２６】
図１４Ｂは、前記装着フレーム（示されていない）と前記鼻パッド２２ｂとの間の配置における他の実施の形態の拡大断面図である。前記鼻パッド２２ｂは、立方体のブラケット３０のキャビティ（示されていない）の内部に収容された、丸いボール形状の端部２６を備えたロッド２４と接続されている。前記立方体のブラケット３０は、ロッド３２によって前記装着フレーム（示されていない）にさらに接続されている。図１４Ａから図１４Ｂでの実施の形態への変化は、スペア部として前記鼻パッドを設計するときに可撓性を提供する。
【００２７】
図１５Ａは、前記鼻パッド２２ｂが、立方体のブラケット３０中のキャビティ２８の内部に収容された、丸いボール形状の端部２６を備えたロッド２４に固定されるように係合されていることを示す。この鼻パッド２２ｂは、実線で示された位置と、点線２３０、２３１で示された位置との間で、前記ロッド３２に対して枢動可能である。前記ロッド２４がより長いとき、大きな角度の動きが可能であることが示されている。
【００２８】
図１５Ｂは、前記鼻パッド２２ｂが、立方体のブラケット３０中のキャビティ２８の内部に収容された、丸いボール形状の端部２６に固定されるように係合されている、他の配置の好ましい実施の形態を示す。前記鼻パッド２２ｂは、実線２２ｂで示された位置と、点線２３２、２３３で示された位置との間で、前記ロッド３２に対して枢動可能である。この図では、前記ロッド２４がより短い、またはないとき、より小さな角度の動きが可能であることが示されている。図１５Ｂの配置は、前記鼻パッドの小さな角度の動きを提供する。図１５Ａ並びに図１５Ｂの配置により、前記ブラケット３０の内部での鼻パッド２２ｂの異なる角度の動きが可能である。従って、鼻パッドを異なる長さを備えた鼻パッドに交換することによって、異なる角度の動きが可能である。
【００２９】
この発明は、この発明を遂行できるような、上記で説明された例によって理解される。また、さまざまな修正、もしくは／または変更が、この発明の意図から逸れることなく成されることができる。明確になるように、個々の実施の形態が述べられてきたこの発明の特徴は、１つの実施の形態を組み合わせることで提供されることができる。逆に、簡潔になるように、１つの実施の形態が述べられてきたこの発明の様々な特徴は、別々に、または適切な補助的組み合わせによってもまた提供されることができる。
【図面の簡単な説明】
【００３０】
【図１】図１は、この発明の第１の好ましい実施の形態に従った眼鏡フレームの部品を組み入れた眼鏡の正面斜視図である。
【図２】図２は、図１に示された眼鏡の後部斜視図である。
【図３】図３は、図２にＡで示された部分の拡大図である。
【図４】図４は、図１に示された鼻パッドと眼鏡の眼鏡フレームとの間のボール−ソケットジョイントを通る拡大断面図である。
【図５】図５は、図４に示されたボール−ソケットジョイントとの他の拡大断面図であり、図４の面に対して垂直な面から見た図である。
【図６】図６は、鼻パッドと眼鏡フレームとの間の可能な相対運動を示す拡大図である。
【図７】図７は、この発明の第２の好ましい実施の形態に従った眼鏡フレームの正面斜視図である。
【図８】図８は、図７に示された眼鏡の後部斜視図である。
【図９】図９は、図８に示された眼鏡のさらなる後部全体斜視図であり、１対のアームが折り畳まれることを示す。
【図１０Ａ】図１０Ａは、図９に示された眼鏡のまだ示されていないさらなる後部斜視図であり、１対のアームがさらに折り畳まれることを示す。
【図１０Ｂ】図１０Ｂは、図１０Ａに示された眼鏡の部分拡大図であり、鼻パッドと眼鏡フレームとの間の接続を示す。
【図１０Ｃ】図１０Ｃは、図１０Ａに示された眼鏡のさらなる部分拡大図であり、鼻パッドの動きを示す。
【図１１】図１１は、図１０Ａに示された眼鏡を降り畳んだ状態を示す斜視図である。
【図１２】図１２は、図１１に示された眼鏡の底面図である。
【図１３Ａ】図１３Ａは、この発明の第３の好ましい実施の形態に従った眼鏡の正面斜視図である。
【図１３Ｂ】図１３Ｂは、図１３Ａに示された眼鏡の部分拡大図であり、鼻パッドと眼鏡フレームとの間の接続を示す。
【図１３Ｃ】図１３Ｃは、図１３Ａに示された眼鏡のさらなる部分拡大図であり、鼻パッドの動きを示す。
【図１４Ａ】図１４Ａは、この発明の実施の形態に従った鼻パッドの係合の拡大断面図である。
【図１４Ｂ】図１４Ｂは、この発明の他の実施の形態に従った鼻パッドの係合の拡大断面図である。
【図１５Ａ】図１５Ａは、大きな角度の鼻パックの動きを備えたこの発明の実施の形態の拡大断面図である。
【図１５Ｂ】図１５Ｂは、小さな角度の鼻パックの動きを備えたこの発明の実施の形態の拡大断面図である。
【符号の説明】
【００３１】
１０            眼鏡
１２            眼鏡フレーム
１４ａ，１４ｂ  装着フレーム
１６ａ、１６ｂ  光学レンズ
２２ａ、２２ｂ  鼻パッド
【図１】
2009053648.tif 000003
【図２】
2009053648.tif 000004
【図３】
2009053648.tif 000005
【図４】
2009053648.tif 000006
【図５】
2009053648.tif 000007
【図６】
2009053648.tif 000008
【図７】
2009053648.tif 000009
【図８】
2009053648.tif 000010
【図９】
2009053648.tif 000011
【図１０Ａ】
2009053648.tif 000012
【図１０Ｂ】
2009053648.tif 000013
【図１０Ｃ】
2009053648.tif 000014
【図１１】
2009053648.tif 000015
【図１２】
2009053648.tif 000016
【図１３Ａ】
2009053648.tif 000017
【図１３Ｂ】
2009053648.tif 000018
【図１３Ｃ】
2009053648.tif 000019
【図１４Ａ】
2009053648.tif 000020
【図１４Ｂ】
2009053648.tif 000021
【図１５Ａ】
2009053648.tif 000022
【図１５Ｂ】
2009053648.tif 000023
【外国語明細書】
2009053648000001.pdf